(57)【要約】【課題】捕捉した粗大ごみが粗目スクリーン上部に残ることなく、自動的に掻き取り確実に排出するようにした流水トラフ用粗目スクリーンの掻取装置を提供すること。【解決手段】沈砂搬出機３とし渣搬出機４とを備えた沈砂し渣分離処理槽１内に、流水トラフより粗目スクリーン６を経ることにより粗大ごみを予め捕捉除去して汚水を流入するようにした流水トラフ用粗目スクリーンにおいて、粗目スクリーンの目幅内に、その長手方向から挿入可能に櫛歯形に形成したスライドスクリーン７１を主体とした掻取装置７を配設するとともに、このスライドスクリーン７１を駆動装置７２にて往復運動するようにする。【選択図】図２
2007046375.tif 000002
【特許請求の範囲】
【請求項１】
沈砂搬出機とし渣搬出機とを備えた沈砂し渣分離処理槽内に、流水トラフより粗目スクリーンを経ることにより粗大ごみを予め捕捉除去して汚水を流入するようにした流水トラフ用粗目スクリーンにおいて、粗目スクリーンの目幅内に、その長手方向から挿入可能に櫛歯形に形成したスライドスクリーンを主体とした掻取装置を配設するとともに、該スライドスクリーンを駆動装置にて往復運動するように構成したことを特徴とする流水トラフ用粗目スクリーンの掻取装置。
【請求項２】
スライドスクリーンを、櫛歯形に形成し、粗目スクリーンの外側に配設したガイドレールとガイドローラを介して粗目スクリーンに沿って往復運動することで粗目スクリーン上部に残るごみを排出シュート側ヘ排出するように構成したことを特徴とする請求項１記載の流水トラフ用粗目スクリーンの掻取装置。
【請求項３】
粗目スクリーンを複数本のパイプ材を平行に、かつ傾斜するように配列して構成するとともに、該粗目スクリーンのパイプ全長に亘って櫛歯形のスライドスクリーンを突っ込むように構成したことを特徴とする請求項１又は２記載の流水トラフ用粗目スクリーンの掻取装置。
【請求項４】
スライドスクリーン上部に、スライドスクリーン戻り運転時にスライドスクリーン上部の粗大ごみを掻き落とすようにしたスクレーパを設けたことを特徴とする請求項１、２又は３記載の流水トラフ用粗目スクリーンの掻取装置。
【請求項５】
スライドスクリーン下部に、水受け皿兼排出シュートを設けたことを特徴とする請求項１、２、３又は４記載の流水トラフ用粗目スクリーンの掻取装置。
【発明の詳細な説明】
【技術分野】
【０００１】
本発明は、流水トラフ用粗目スクリーンの掻取装置に関し、特に、主として小規模の下水処理場において、流水トラフより粗目スクリーンを経て回収汚泥を沈砂し渣分離処理槽内に流入させるようにし、かつ流水トラフの出口位置に設置した粗目スクリーンにて粗大ごみを捕捉するとともに、該粗大ごみが、粗目スクリーン上部に残ることなく、確実に除去排出するようにした流水トラフ用粗目スクリーンの掻取装置に関するものである。
【背景技術】
【０００２】
従来、小規模の下水処理場には、図７〜図９に示すように、小型簡易式の除塵機が設置されている。この除塵機には、沈砂し渣分離処理槽内に流入する汚水中の汚砂分とし渣分とを個別的に分離、除去して処理するための沈砂搬出機と、し渣搬出機とが設置されている。
しかし、この沈砂し渣分離処理槽内に流入する汚水中のし渣には、規定外の粗大なごみと比較的小さな予め定められた大きさ以下のごみ（規定内のごみ）とが混合した状態となっており、しかも雨天時などおいては流入するごみ量やその大きさが大きく変化することがある。このため、沈砂と予め定められた大きさ以下（規定内）のし渣との分離除去が効率的に行えるように、流入する汚水中の沈砂と規定内のし渣とを分離する前に、予め規定外の粗大な流入ごみを分離除去するよう粗目スクリーンを設置している。
この粗目スクリーンを設置した除塵機としては、特に限定されるものではないが、例えば、図７〜図９に示すように、小型簡易式の除塵機が採用されている。
【０００３】
ところで、従来の流水トラフ用粗目スクリーンは、前記図７〜図９に示すように、流水トラフ出口位置の下方位置に傾斜して配置しているため、流水トラフより流出した汚水は、この粗目スクリーンを経て沈砂し渣分離処理槽内へ流入する際、規定外の粗大ごみは粗目スクリーンにて捕捉され、その後の規定内のごみと汚泥分とが沈砂し渣分離処理槽内へ流入する。そして、粗目スクリーンにて捕捉された粗大ごみは、粗目スクリーンの傾斜に沿って下方位置に配置した粗大ごみコンテナ内に自然と滑り落ちるようになるが、時にはこの分離捕捉した一部の粗大ごみが粗目スクリーン面上を滑り落ちることなく粗目スクリーン上部に残るようになることがある。この粗目スクリーン上部に残った粗大ごみは次の粗大ごみの滑り落ちを妨げるものとなって、次第に粗目スクリーン上部に堆積するという問題があった。
このため、作業者が定期的に、或いは粗目スクリーン上部に粗大ごみがある程度堆積した状態を確認した後、手掻きにより排出するようにしているので、手掻きによる掻き寄せ排出に手間がかかるという問題があった。
【発明の開示】
【発明が解決しようとする課題】
【０００４】
本発明は、流水トラフ用粗目スクリーンの有する問題点に鑑み、捕捉した粗大ごみが粗目スクリーン上部に残ることなく、自動的に掻き取り確実に排出するようにした流水トラフ用粗目スクリーンの掻取装置を提供することを目的とする。
【課題を解決するための手段】
【０００５】
上記目的を達成するため、本発明の流水トラフ用粗目スクリーンの掻取装置は、沈砂搬出機とし渣搬出機とを備えた沈砂し渣分離処理槽内に、流水トラフより粗目スクリーンを経ることにより粗大ごみを予め捕捉除去して汚水を流入するようにした流水トラフ用粗目スクリーンにおいて、粗目スクリーンの目幅内に、その長手方向から挿入可能に櫛歯形に形成したスライドスクリーンを主体とした掻取装置を配設するとともに、該スライドスクリーンを駆動装置にて往復運動するように構成したことを特徴とする。
【０００６】
この場合において、スライドスクリーンを、櫛歯形に形成し、粗目スクリーンの外側に配設したガイドレールとガイドローラを介して粗目スクリーンに沿って往復運動することで粗目スクリーン上部に残るごみを排出シュート側ヘ排出するように構成することができる。
【０００７】
また、粗目スクリーンを複数本のパイプ材を平行に、かつ傾斜するように配列して構成するとともに、該粗目スクリーンのパイプ全長に亘って櫛歯形のスライドスクリーンを突っ込むように構成することができる。
【０００８】
また、スライドスクリーン上部に、スライドスクリーン戻り運転時にスライドスクリーン上部の粗大ごみを掻き落とすようにしたスクレーパを設けることができる。
【０００９】
また、スライドスクリーン下部に、水受け皿兼排出シュートを設けることができる。
【発明の効果】
【００１０】
本発明の流水トラフ用粗目スクリーンの掻取装置によれば、沈砂搬出機とし渣搬出機とを備えた沈砂し渣分離処理槽内に、流水トラフより粗目スクリーンを経ることにより粗大ごみを予め捕捉除去して汚水を流入するようにした流水トラフ用粗目スクリーンにおいて、粗目スクリーンの目幅内に、その長手方向から挿入可能に櫛歯形に形成したスライドスクリーンを主体とした掻取装置を配設するとともに、該スライドスクリーンを駆動装置にて往復運動するように構成することにより、掻取装置を往復移動させるだけで、自動的に粗目スクリーンにて捕捉された粗大ごみを、粗目スクリーン上部に残ることなく、確実に排出シュート側へ排出できるので、捕捉粗大ごみの掻き出しに人手が不要となり、かつ処理不能に陥ることも、オーバーフローすることもなくなる。
【００１１】
また、スライドスクリーンを、櫛歯形に形成し、粗目スクリーンの外側に配設したガイドレールとガイドローラを介して粗目スクリーンに沿って往復運動することで粗目スクリーン上部に残るごみを排出シュート側ヘ排出するように構成することにより、粗目スクリーン上部に残る粗大ごみもスライドスクリーンを往復運動させるだけで確実に掻き出し排出することができるので、粗大ごみの捕捉能力を損なうことなく連続的に処理することができる。
【００１２】
また、粗目スクリーンを複数本のパイプ材を平行に、かつ傾斜するように配列して構成するとともに、該粗目スクリーンのパイプ全長に亘って櫛歯形のスライドスクリーンを突っ込むように構成することにより、構成が簡単で粗目スクリーン上部に残る粗大ごみ及び粗目スクリーンの目に詰まったごみをも同時に除去することができる。
【００１３】
また、スライドスクリーン上部に、スライドスクリーン戻り運転時にスライドスクリーン上部の粗大ごみを掻き落とすようにしたスクレーパを設けることにより、粗目スクリーン上部の粗大ごみもスライドスクリーンを移動させるだけでスクレーパにて強制的に掻き落とし、確実に除去することができる。
【００１４】
また、スライドスクリーン下部に、水受け皿兼排出シュートを設けることにより、スライドスクリーンの後退によって該スライドスクリーンに付着している汚水も確実に水受けバン上に滴り落ちさせ、該汚水を確実に沈砂し渣分離処理槽内へ戻し、槽近傍を妄りによごすことがない。
【発明を実施するための最良の形態】
【００１５】
以下、本発明の流水トラフ用粗目スクリーンの掻取装置の実施の形態を、図面に基づいて説明する。
【実施例１】
【００１６】
図１〜図６に、本発明の流水トラフ用粗目スクリーンの掻取装置の一実施例を示す。
図において１は、沈砂し渣分離処理槽で、下水処理場の沈砂池などから回収したし渣（ごみ）が混合した状態の回収沈砂を沈砂流水トラフ２を経て流入するようにするとともに、この沈砂し渣分離処理槽１内には沈砂搬出機３と、し渣搬出機４とを配設し、これにより分離された沈砂とし渣とをそれぞれ分離独立して槽外へ搬出するようにするが、このし渣と沈砂との分離は、特に限定されるものではなく、例えば、比重分離によるか、或いは該槽内に配設された回転式のセパレータ装置５にて強制的に分離するようにする。
なお、このセパレータ装置５の回転駆動は、特に限定されるものではないが、例えば、槽外に配設した駆動装置５１にて行うことができる。
【００１７】
回収沈砂を沈砂し渣分離処理槽１内に供給する沈砂流水トラフ２の端部には、粗目スクリーン６を配設し、これにより沈砂し渣分離処理槽１内に供給する回収沈砂に混合されている粗大ごみを予め捕捉除去するようにする。
この粗目スクリーン６は、図４〜６に示すように、所要のスクリーン目幅となる所要間隔にて複数本のパイプ６１を平行に配設し、かつその一端側が高く、他端側が低くなるよう傾斜して配設し、このパイプ６１の低部側端部に捕捉粗大ごみを槽外へ排出するための粗目スクリーン用シュート６２を、特に限定されるものではないが、パイプ６１の傾斜角とほぼ等しくなるようにして配設する。
なお、このパイプ６１、粗目スクリーン用シュート６２の傾斜角は、粗目スクリーン６上に捕捉された粗大ごみが粗目スクリーン６上面を自然と滑り落ちるよう、かつ規定内の比較的小さなし渣や沈砂及び汚水は下部の沈砂し渣分離処理槽１内に落下するように設定するもので、この傾斜角は特に限定されるものではなく、例えば、１０度〜２０度程度とする。
【００１８】
また、この粗目スクリーン６に近設して粗目スクリーンの掻取装置７を、粗目スクリーン６と同じ傾斜角を有するようにして配設する。
この粗目スクリーンの掻取装置７は、前記粗目スクリーン６の各パイプ６１、６１間にその一端側から突っ込むようにして挿通できるよう、櫛歯形をしたスライドスクリーン７１と、このスライドスクリーン７１を粗目スクリーン６の高部端側から挿入して底部端側へスライドさせるようにした駆動装置、これは特に限定されるものではないが、例えば、電動シリンダ７２と、さらにはスライドスクリーン７１が粗目スクリーン６に沿って正確にスライドするよう案内するガイド機構７３とから成る。
【００１９】
このスライドスクリーン７１は、左右両外側に配設したスライドスクリーンの外フレーム７１ｆ、７１ｆ間に横フレーム７１ｇを掛け渡すようにして配設し、この横フレーム７１ｇに複数本のスクリーンバー７１ｂ、７１ｂを櫛歯形に配設し、各スクリーンバー７１ｂが前記粗目スクリーン６の各パイプ６１、６１間に挿通できるようにし、さらにこのスライドスクリーン７１の上部には粗目スクリーン６の情報を横切るようにしてスクレーパ７１ｓを配設して構成し、これにより粗目スクリーン６上に捕捉され、かつ自然に滑り落ちなかった粗大ごみを強制的に掻き取り排出するようにする。
なお、この待機位置のスライドスクリーン７１が、図５に示すように、沈砂し渣分離処理槽１の外上部位置にある場合、必要に応じてスライドスクリーン７１に付着した汚水が槽外に滴り落ちないように、待機位置のスライドスクリーン７１の下部に水受けバン７１ｃを配設し、この水受けバン７１ｃ上に滴り落ちた汚水を前記沈砂し渣分離処理槽１内へ戻すようにする。
【００２０】
また、このガイド機構７３は、特に限定されるものではないが、例えば、図示のように、粗目スクリーン６の両側外部に平行して配設したガイドレール７３ａと、該ガイドレール７３ａ上を転動してガイドレールに沿って移動するように、スライドスクリーン７１の両側外部、詳しくはスライドスクリーンの外フレームの外側に突設するように配設した複数のガイドローラ７３ｂとより構成する。
従って、このガイドレール７３ａの全長は、その待機位置よりスライドスクリーン７１が粗目スクリーン６に沿ってその一端側から他端側に亘って移動できるようにして定めるものとする。
【００２１】
次に、本発明の流水トラフ用粗目スクリーンの掻取装置の作用について説明する。
一般に、掻取装置７のスライドスクリーン７１は、ガイド機構７３により図５に示すように待機位置にて停止しており、この状態で沈砂し渣分離処理槽１内に沈砂流水トラフ２より粗目スクリーン６を経て回収沈砂が流入する。
この時、回収沈砂に規定外の粗大ごみが含まれていると、この粗大ごみは粗目スクリーン６にて捕捉され、規定内のごみと沈砂は粗目スクリーン６を経て沈砂し渣分離処理槽１内に落下供給され、セパレータにて分離された後、し渣と沈砂分はそれぞれ沈砂搬出機３とし渣搬出機４にて槽外へ排出される。
【００２２】
また、この場合、粗目スクリーン６にて捕捉された粗大ごみは、粗目スクリーン６の傾斜にて自然と滑り落ちるようになるが、その一部は粗目スクリーン６等に引かかって滑り落ちないものもある。このような場合、電動シリンダを定期的に、或いは周期的に駆動させると、この電動シリンダの先端に係止したスライドスクリーン７１は、ガイド機構７３によりその待機位置よりスライドして前進する。
これにより粗目スクリーン６のパイプ６１、６１間に櫛歯形のスライドスクリーン７１が挿入されるとともにスクレーパが粗目スクリーン６面上を移動するようになって、パイプ間の粗目スクリーン６の目幅に詰まっているごみは、櫛歯形のスライドスクリーン７１により、また粗目スクリーン６面上に引っかかっている粗大ごみはスクレーパにて強制的に掻き取られ、粗目スクリーン用シュート６２側へ排出される。
【００２３】
これにより、粗目スクリーン６の目詰まりが解消され、かつ粗目スクリーン６面上の粗大ごみも掻き取られて、粗目スクリーン６による粗大ごみの捕捉除去作業が連続的に行われるようになる。
【００２４】
以上、本発明の流水トラフ用粗目スクリーンの掻取装置について、実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の流水トラフ用粗目スクリーンの掻取装置は、粗目スクリーンに捕捉された粗大ごみをスライド移動するスライドスクリーンにて掻き取り排出するという特性を有していることから、流水トラフ用粗目スクリーンの掻取装置の用途に好適に用いることができるほか、例えば、除塵用スクリーンの目詰まり防止の用途にも用いることができる。
【図面の簡単な説明】
【００２６】
【図１】本発明の流水トラフ用粗目スクリーンの掻取装置の一実施例を示す正面図である。
【図２】同側面図である。
【図３】同平面図である。
【図４】掻取装置部分の詳細正面図である。
【図５】掻取装置部分の詳細側面図である。
【図６】掻取装置部分の詳細平面図である。
【図７】従来の手掻き用粗目スクリーンを示す正面図である。
【図８】同側面図である。
【図９】同平面図である。
【符号の説明】
【００２７】
１    沈砂し渣分離処理槽
２    沈砂流水トラフ
３    沈砂搬出機
４    し渣搬出機
５    セパレータ装置
６    粗目スクリーン
６１  パイプ
６２  粗目スクリーン用シュート
７    粗目スクリーンの掻取装置
７１  スライドスクリーン
７１ｂ  スクリーンバー
７１ｃ  水受けバン
７１ｆ  スライドスクリーンの外フレーム
７１ｇ  横フレーム
７１ｓ  スクレーパ
７２  電動シリンダ
７３  ガイド機構
７３ａ  ガイドレール
７３ｂ  ガイドローラ
【図１】
2007046375.tif 000003
【図２】
2007046375.tif 000004
【図３】
2007046375.tif 000005
【図４】
2007046375.tif 000006
【図５】
2007046375.tif 000007
【図６】
2007046375.tif 000008
【図７】
2007046375.tif 000009
【図８】
2007046375.tif 000010
【図９】
2007046375.tif 000011